(57)【要約】【課題】レンズ当たり屈折率を小さくし、フィールド別の性能を最適化することができるレンズモジュールを提供する。【解決手段】本発明によるレンズモジュールは、被写体面から撮像面に順次配置される第１レンズ、第２レンズ、第３レンズ及び第４レンズを含み、上記第１レンズは、正（＋）の屈折力を有し、上記第２レンズは、負（−）の屈折力を有し、上記第３レンズは、正（＋）の屈折力を有し、上記第４レンズは、負（−）の屈折力を有しており、上記第３レンズは、正（＋）の屈折力を有する第１サーブレンズ、第２サーブレンズ、及び第３サーブレンズで構成され、上記第４レンズは、光軸周辺の中心部及び上記中心部の外側に形成された外郭部で構成されており、上記撮像面側の上記中心部は、凹状に形成され、上記撮像面側の上記外郭部は、凸状に形成されることを特徴とする【選択図】図１
2014052626.tif 000002
【特許請求の範囲】
【請求項１】
被写体面から撮像面に順次配置される第１レンズ、第２レンズ、第３レンズ及び第４レンズを含み，
前記第１レンズは、正（＋）の屈折力を有し、
前記第２レンズは、負（−）の屈折力を有し、
前記第３レンズは、正（＋）の屈折力を有し、
前記第４レンズは、負（−）の屈折力を有しており、
前記第３レンズは、正（＋）の屈折力を有する第１サーブレンズ、第２サーブレンズ、及び第３サーブレンズで構成され，
前記第４レンズは、
光軸周辺の中心部及び前記中心部の外側に形成された外郭部で構成され、
前記撮像面側の前記中心部は、凹状に形成され、前記撮像面側の前記外郭部は、凸状に形成されることを特徴とするレンズモジュール。
【請求項２】
前記レンズモジュールの全体焦点距離をｆとし、前記第１サーブレンズ、前記第２サーブレンズ、及び前記第３サーブレンズの合成焦点距離をｆ３とする場合、
（ｆ３／ｆ）＜１．０を満たすことを特徴とする請求項１に記載のレンズモジュール。
【請求項３】
前記レンズモジュールの全体焦点距離をｆとし、前記第１レンズの焦点距離をｆ１とする場合、（ｆ１／ｆ）＜１．５を満たすことを特徴とする請求項１に記載のレンズモジュール。
【請求項４】
前記第１レンズ乃至前記第４レンズのうちの少なくとも一つのレンズの片面または両面は、非球面を含むことを特徴とする請求項１に記載のレンズモジュール。
【請求項５】
前記第１レンズのアッベ（Ａｂｂｅ）数をＶ１とし、前記第２レンズのアッベ数をＶ２とする場合、２０＜Ｖ１−Ｖ２＜６０を満たすことを特徴とする請求項１に記載のレンズモジュール。
【請求項６】
前記第１レンズのアッベ数をＶ１とし、前記第２レンズのアッベ数をＶ２とする場合、
４０＜Ｖ１＜６０、及び２０＜Ｖ２＜３０を満たすことを特徴とする請求項１に記載のレンズモジュール。
【請求項７】
前記第２レンズの屈折率をｎ２とする場合、
１．６０＜ｎ２＜１．８０を満たすことを特徴とする請求項１に記載のレンズモジュール。
【請求項８】
前記第１レンズの屈折率をｎ１とする場合、
１．５０＜ｎ１＜１．７０を満たすことを特徴とする請求項１に記載のレンズモジュール。
【請求項９】
前記第１レンズ、前記第２レンズ、前記第３レンズ、及び前記第４レンズは、プラスチック材質からなることを特徴とする請求項１に記載のレンズモジュール。
【請求項１０】
前記第１レンズの全体焦点距離をｆ１とし、前記第１サーブレンズ、前記第２サーブレンズ、及び前記第３サーブレンズの合成焦点距離をｆ３とする場合、
（ｆ１／ｆ３）＞１．０を満たすことを特徴とする請求項１に記載のレンズモジュール。
【請求項１１】
前記第１レンズ及び前記第２レンズの合成焦点距離をｆ１２とし、前記第１サーブレンズ、前記第２サーブレンズ、及び前記第３サーブレンズの合成焦点距離をｆ３とする場合、（ｆ１２／ｆ３）＞２．０を満たすことを特徴とする請求項１に記載のレンズモジュール。
【請求項１２】
前記第１サーブレンズ、前記第２サーブレンズ、及び前記第３サーブレンズの合成焦点距離をｆ３とし、前記第４レンズの焦点距離をｆ４とする場合、
−２．０＜（ｆ４／ｆ３）＜−０．５を満たすことを特徴とする請求項１に記載のレンズモジュール。
【請求項１３】
前記第１レンズの焦点距離をｆ１とし、前記第２レンズ焦点距離をｆ２とする場合、
−２．０＜（ｆ２／ｆ１）＜−０．５を満たすことを特徴とする請求項１に記載のレンズモジュール。
【発明の詳細な説明】
【技術分野】
【０００１】
本発明は、レンズモジュールに関する。
【背景技術】
【０００２】
近年、イメージピックアップシステム（Image Pick-up System）に係り、通信端末機用カメラモジュール、デジタルスチールカメラ（DSC; Digital Still Camera）、カムコーダ、ＰＣカメラ（パーソナルコンピューターに付属した撮像装置）などが研究されている。
【０００３】
このようなイメージピックアップシステムに関連されたカメラモジュールが像（image）を得るために、最も重要な構成要素は、像を結像するレンズが複数具備されたレンズモジュールである。
【０００４】
ピクセルの大きさ（Pixel Size）＞１．４μｍであるセンサーに適用される光学系としては、８Ｍ級の高画素のカメラに４枚光学系が主に使用され、１．１２μｍセンサーには５枚レンズが主に使用される。
【０００５】
４枚光学系は、第１レンズと第２レンズが光学系の全体的な屈折力を担い、第３レンズと第４レンズが、像面湾曲（Field Curvature）、歪曲（distortion）及び第１レンズと第２レンズにより補正されなかった収差を補正する役割を担い、このうち、第１レンズと第２レンズのいずれかの一つのレンズは、クラウン（Crown）系列であり、他の一つのレンズは、フリント（Flint）材質を用いて縦色収差（Longitudinal Chromatic Aberration）を補正し、主に第２レンズが負の屈折力を有しながらフリント材質からなる。
【０００６】
４枚光学系を構成する４枚のレンズとして最も広く使用されるパワー配置は、一般的に第１レンズから（＋）（−）（＋）（−）の屈折力を有するレンズである。
【０００７】
５枚光学系は、主に４枚光学系の２番レンズまたは３番レンズを分離して、レンズ当たり屈折角を小さくし、フィールド（Field）別の性能をより最適化することで実現される。
【０００８】
本発明の背景技術は、韓国公開特許公報第10-2012-0039075号（2012年04月25日公開、撮像レンズ、撮像装置及び携帯端末機）に開示されている。
【発明の概要】
【発明が解決しようとする課題】
【０００９】
本発明は、４枚レンズのレンズモジュールのうち、第３番レンズを分離して、レンズ当たり屈折率を小さくし、フィールド別の性能を最適化することができるレンズモジュールを提供することを目的とする。
【課題を解決するための手段】
【００１０】
本発明の一側面によれば、被写体面から撮像面に順次配置される第１レンズ、第２レンズ、第３レンズ及び第４レンズを含み、上記第１レンズは、正（＋）の屈折力を有し、上記第２レンズは、負（−）の屈折力を有し、上記第３レンズは、正（＋）の屈折力を有し、上記第４レンズは、負（−）の屈折力を有しており、上記第３レンズは、正（＋）の屈折力を有する第１サーブレンズ、第２サーブレンズ、及び第３サーブレンズで構成され、上記第４レンズは、光軸周辺の中心部及び上記中心部の外側に形成された外郭部で構成されており、上記撮像面側の上記中心部は凹状に形成され、上記撮像面側の上記外郭部は、凸状に形成されることを特徴とするレンズモジュールが提供される。
【００１１】
上記レンズモジュールの全体焦点距離をｆとし、第１サーブレンズ、第２サーブレンズ、及び第３サーブレンズの合成焦点距離をｆ３とする場合、（ｆ３／ｆ）＜１．０を満たすことができる。
【００１２】
上記第１レンズ乃至上記第４レンズのうちの少なくとも一つのレンズの片面または両面は、非球面を含むことができる。
【発明の効果】
【００１３】
本発明に係るレンズモジュールを用いて、４枚レンズのレンズモジュールのうちの第３番レンズを分離して、レンズ当たり屈折率を小さくし、フィールド別の性能を最適化することができる。
【図面の簡単な説明】
【００１４】
【図１】本発明の実施例１に係るレンズモジュールを示す概略図である。
【図２】本発明の実施例１に係るレンズモジュールの非点収差を示すグラフである。
【図３】本発明の実施例１に係るレンズモジュールの歪曲収差を示すグラフである。
【図４】本発明の実施例２に係るレンズモジュールを示す概略図である。
【図５】本発明の実施例２に係るレンズモジュールの非点収差を示すグラフである。
【図６】本発明の実施例２に係るレンズモジュールの歪曲収差を示すグラフである。
【図７】本発明の実施例３に係るレンズモジュールを示す概略図である。
【図８】本発明の実施例３に係るレンズモジュールの非点収差を示すグラフである。
【図９】本発明の実施例３に係るレンズモジュールの歪曲収差を示すグラフである。
【発明を実施するための形態】
【００１５】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって係る公知技術に対する具体的な説明が本発明の要旨をかえって不明にすると判断される場合、その詳細な説明を省略する。
【００１６】
「第１」、「第２」などの用語は、多様な構成要素を説明するために用いられるに過ぎず、構成要素がそれらの用語により限定されるものではない。それらの用語は一つの構成要素を他の構成要素から区別する目的だけに用いられる。
【００１７】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組合せたものの存在を指定するものであって、一つまたはそれ以上の他の特徴や数字、段階、動作、構成要素、部品またはこれらを組合せたものの存在または付加可能性を予め排除するものではないと理解しなくてはならない。
【００１８】
また、「結合」とは、各構成要素の間に物理的に直接接触される場合のみを意味することではなく、他の構成が各構成要素の間に介在され、その他の構成に構成要素がそれぞれ接触されている場合まで包括する概念として使用する。
【００１９】
本発明の実施例に係るレンズモジュールについては、添付図面に基づいて詳細に説明し、添付図面に基づいて説明するに当たって、同一または対応する構成要素には同一の図面符号を付し、これに対する重複説明は省略する。
【００２０】
図１に示すように、本発明の一実施例に係るレンズモジュールは、被写体面Ｏから撮像面Ｉに順次に、第１レンズ１００、第２レンズ２００、第３レンズ及び第４レンズ６００を配置可能である。このとき、第３レンズは、第１サーブレンズ３００、第２サーブレンズ４００、及び第３サーブレンズ５００で構成されることができる。
【００２１】
第１レンズ１００は、正（＋）の屈折力を有し、第２レンズ２００は、負（−）の屈折力を有し、第３レンズは、正（＋）の屈折力を有し、第４レンズ６００は、負（−）の屈折力を有する。このとき、第３レンズを構成する第１サーブレンズ３００乃至第３サーブレンズ５００も、すべて正の屈折力を有する。
【００２２】
本発明の一実施例に係るレンズモジュールは、第３レンズを分離してレンズ当たり屈折角を小さくし、フィールド別の性能を最適化するためのものであって、第３レンズは、図１に示すように、第１サーブレンズ３００、第２サーブレンズ４００、及び第３サーブレンズ５００に分離された。
【００２３】
第１サーブレンズ３００乃至第３サーブレンズ５００は、これらを合成したレンズの屈折力が、正（＋）の屈折力を有するように、すべて正（＋）の屈折力を有するように形成されなければならない。
【００２４】
第３レンズは、分離されて、第１サーブレンズ３００乃至第３サーブレンズ５００で構成され、分離されたレンズは、中心と周辺光線の収差を補正する役割を担うことになる。
【００２５】
従来の４枚構成レンズ中の第３レンズを複数枚のレンズに分離することは、４枚レンズ中の第３レンズの屈折力が大きい場合に効果的であり得る。
【００２６】
本発明の一実施例に係るレンズモジュールにおいては、第３レンズを分離した第１サーブレンズ３００、第２サーブレンズ４００、及び第３サーブレンズ５００の合成屈折力が全体光学系の屈折力よりも大きく形成されることを特徴とする。
【００２７】
本発明に係るレンズモジュールにおいて、屈折力は、焦点距離に反比例するので、レンズモジュールの全体焦点距離をｆとし、第１サーブレンズ３００、第２サーブレンズ４００、及び第３サーブレンズ５００の合成焦点距離をｆ３とする場合、ｆとｆ３は、下記の数学式（１）を満たすように決定されることができる。
【００２８】
［数１］
（ｆ３／ｆ）＜１．０    （１）
上記の数学式（１）の条件により、本発明は、全体光学系の収束力（converging power）の中で第３レンズの収束力が占める割合を充分に大きくし、残りのレンズの収束力が占める割合を小さくすることにより、全体光学系の敏感度を低減させながらも、要求される性能を確保することができる。
【００２９】
また、本発明に係るレンズモジュールは、レンズモジュールの全体焦点距離をｆとし、第１レンズ１００の焦点距離をｆ１とする場合、第１レンズ１００が光を集める役割を行うために、ｆとｆ１は、下記の数学式（２）を満たすように決定されることができる。
【００３０】
［数２］
（ｆ１／ｆ）＜１．５    （２）
また、本発明の一実施例に係るレンズモジュールは、第１レンズ１００乃至上記第４レンズ６００のうちの少なくとも一つのレンズの片面または両面は、非球面を含むことができる。
【００３１】
上述したように、少なくともいずれかの片面または両面が非球面であるレンズを用いることにより、レンズの解像力を向上させ、収差特性が優れたレンズモジュールを得ることができる。
【００３２】
図１に示すように、第４レンズ６００は、光軸周辺の中心部６１０及び中心部６１０の外側に形成された外郭部６２０で構成されることができる。
【００３３】
撮像面Ｉ側の中心部６１０は、凹状に形成され、撮像面Ｉ側の外郭部６２０は、凸状に形成されて、中心部６１０及び外郭部６２０の連結地点に、変曲点が形成されることができる。
【００３４】
すなわち、撮像面Ｉ側から見ると、光軸を中心とする中心部から外郭に向かうほど、凹状になり、また外郭部で凸状を形成することにより、上述した凹状と凸状との間に変曲点が形成されることとなる。
【００３５】
第４レンズ６００に形成された変曲点は、受光素子の撮像に入射される主光線の最大射出角を調整し、画面の周辺部が暗くなる現象（shading）を防止することができる。
【００３６】
また、第１レンズ１００のアッべ（Abbe）数をＶ１とし、上記第２レンズ２００のアッベ数をＶ２とする場合、色収差補正のために第１レンズ１００及び第２レンズ２００のアッベ数が、下記の数学式（３）を満たすように決定されることができる。
【００３７】
［数３］
２０＜Ｖ１−Ｖ２＜６０    （３）
また、上述した色収差補正のための適正な第１レンズ１００及び第２レンズ２００のアッベ数の範囲は、下記の数学式（４）を満たすように決定されることができる。
【００３８】
［数４］
４０＜Ｖ１＜６０、及び２０＜Ｖ２＜３０    （４）
本発明によれば、第１レンズ１００の屈折率は、第１レンズ１００の屈折率をｎ１とする場合、下記の数学式（５）を満たすように決定されることができる。
【００３９】
［数５］
１．５０＜ｎ１＜１．７０    （５）
また、第２レンズ２００の屈折率をｎ２とする場合、第２レンズ２００の屈折率は、下記の数学式（６）を満たすように決定されることができる。
【００４０】
［数６］
１．６０＜ｎ２＜１．８０    （６）
すなわち、第２レンズ２００は、収差に有利になるように高屈折材料を用いて製作することができる。また、本発明に係るレンズモジュールのすべてのレンズ、すなわち、第１レンズ１００、第２レンズ２００、第３レンズ、及び第４レンズ６００は、プラスチック材質からなり、費用を低減し、カメラ全体の重さを低減することができる。
【００４１】
本発明に係るレンズモジュールは、第１レンズ１００の全体焦点距離をｆ１とし、第１サーブレンズ３００、第２サーブレンズ４００、及び第３サーブレンズ５００の合成焦点距離をｆ３とする場合、全体光学系の収束力（converging power）の中で第３レンズの収束力が占める割合を充分に大きくし、第１レンズ１００の収束力が占める割合を小さくして、全体光学系の敏感度を低減させながらも、要求される性能を確保できるように、ｆ１とｆ３は、下記の数学式（７）を満たすように決定されることができる。
【００４２】
［数７］
（ｆ１／ｆ３）＞１．０    （７）
また、本発明のレンズモジュールは、上述した数学式（７）と同じ理由で、第１レンズ１００及び第２レンズ２００の合成焦点距離をｆ１２とし、第１サーブレンズ３００、第２サーブレンズ４００、及び第３サーブレンズ５００の合成焦点距離をｆ３とする場合、
ｆ１２とｆ３は、下記の数学式（８）を満たすように決定されることができる。
【００４３】
［数８］
（ｆ１２／ｆ３）＞２．０    （８）
また、第１サーブレンズ３００、第２サーブレンズ４００、及び第３サーブレンズ５００の合成焦点距離をｆ３とし、第４レンズ６００の焦点距離をｆ４とする場合、第３レンズによる収差を補正するために、第３レンズ及び第４レンズ６００の適正な焦点距離は、下記の数学式（９）を満たすように決定されることもできる。
【００４４】
［数９］
−２．０＜（ｆ４／ｆ３）＜−０．５    （９）
そして、収差補正のために、第１レンズ１００及び第２レンズ２００は、第１レンズ１００の焦点距離をｆ１とし、上記第２レンズ２００の焦点距離をｆ２とする場合、下記の数学式（１０）を満たすように決定されることもできる。
【００４５】
［数１０］
−２．０＜（ｆ２／ｆ１）＜−０．５    （１０）
以下に、具体的な実施例に基づいて本発明の一実施例に係るレンズモジュールの作用効果を説明する。
【００４６】
表１及び表２は、実施例１に係る球面部の諸元及び非球面係数を、表３及び表４は、実施例２に係る球面部の諸元及び非球面係数を、表５及び表６は、実施例３に係る球面部の諸元及び非球面係数を示す。
【実施例１】
【００４７】
【表１】
2014052626.tif 000003
【表２】
2014052626.tif 000004
【実施例２】
【００４８】
【表３】
2014052626.tif 000005
【表４】
2014052626.tif 000006
【実施例３】
【００４９】
【表５】
2014052626.tif 000007
【表６】
2014052626.tif 000008
【００５０】
Ｚ＝CR2/(1+(1-(1+K)C2R2)(1/2))+AR4+BR6+CR8+DR10+ER12+FR14+GR16
Ｚ：表面の光軸方向のサグ（ｓａｇ）
Ｃ：表面頂点での曲律
Ｋ：コーニック係数
Ａ  〜  Ｇ：４次、６次、８次、１０次、１２次、１４次、１６次の非球面係数
表面の光軸方向のサグ（Sag of the surface parallel to optical axis）から非球面の形状を得ることができ、このような非球面の形状及び各データに基づいて収差を測定することになる。
【００５１】
図２及び図３は、上記実施例１に係る収差度を示すグラフであって、ここでは、非点収差及び歪曲収差を測定した。
【００５２】
図２は、本発明の実施例１に係る非点収差を測定したグラフである。
【００５３】
図２において、Ｙ軸は、像の高さ（ｍｍ）を示し、Ｘ軸は、非点収差（ｍｍ）を示す。
【００５４】
図２に示すように、曲線がＹ軸に近づくほど、収差補正機能が優れると解釈される。
【００５５】
非点収差は、光学系が、互いに垂直な二つの光に対して互いに異なる光学的な力を有する時に現す収差であって、接平面とサジタル平面で構成される。
【００５６】
互いに異なる二つの光のうち、光軸を通過するものを接平面といい、光軸を通過しないものをサジタル平面という。図示された収差度では、像の値がＹ軸に隣接しているので、収差補正の機能が優れることを示している。
【００５７】
図３は、上記実施例１に係る歪曲収差を測定したグラフである。図３において、Ｙ軸は、像の高さ（ｍｍ）を意味し、Ｘ軸は、歪曲収差（％）を意味する。図３では、曲線がＹ軸に近づくほど、収差補正機能が優れると解釈される。
【００５８】
図示された収差度では、像の値がＹ軸に隣接しているので（歪曲収差が２％内に形成される）補正機能が優れることを示している。
【００５９】
これと同じく、実施例２及び実施例３においても、収差補正の機能が優れたことを確認することができる。
【００６０】
図４は、実施例２に係るレンズモジュールの概略図である。
【００６１】
図３及び図４を参照すると、本発明の実施例２に係るレンズモジュールのＳ５，Ｓ６，及びＳ８の曲率半径は、正の値を有するので、負の値を有する実施例１に係るレンズモジュールのＳ５，Ｓ６，及びＳ８の曲率半径と多少差がある。
【００６２】
それでも、本発明の実施例２に係るレンズモジュールも実施例１に係るレンズモジュールと同じく、少なくともいずれかの片面または両面が非球面のレンズで構成されている。また、実施例１のレンズモジュールと同じく、第３レンズを構成する第１サーブレンズ３００乃至第３サーブレンズ５００の合成屈折力が正の屈折力を有する。
【００６３】
図５及び図６は、上記実施例２に係る収差度を示すグラフであって、図５は、本発明の実施例２に係る非点収差を測定したグラフである。
【００６４】
図６は、上記実施例２に係る歪曲収差を測定したグラフである。
【００６５】
実施例２は、球面部の諸元及び非球面係数において、実施例１と多少差はあるが、図５から分かるように、実施例１と同じく、非点収差に対する像の値がＹ軸に隣接しているので、実施例２も収差補正の機能が優れることが分かる。
【００６６】
また、図６から分かるように、実施例１と同じく、歪曲収差に対する像の値がＹ軸に隣接しているので、実施例２も収差補正の機能が優れることが分かる。
【００６７】
図７は、実施例３に係るレンズモジュールの概略図である。
【００６８】
表５及び図７を参照すると、本発明の実施例３に係るレンズモジュールのＳ５乃至Ｓ１０の曲率半径は、全て負の値であって、実施例１及び実施例２に係るレンズモジュールの曲率半径とは差がある。
【００６９】
それでも、本発明の実施例３に係るレンズモジュールも実施例１及び実施例２に係るレンズモジュールと同じく、少なくともいずれかの片面または両面が非球面のレンズで構成されており、実施例１及び実施例２のレンズモジュールと同じく、第３レンズを構成する第１サーブレンズ３００乃至第３サーブレンズ５００の合成屈折力が正の屈折力を有する。
【００７０】
図８及び図９は、上記実施例３に係る収差度を示すグラフであって、図８は、本発明の実施例３に係る非点収差を測定したグラフである。
【００７１】
図９は、上記実施例３に係る歪曲収差を測定したグラフである。
【００７２】
実施例３は、球面部の諸元及び非球面係数において、実施例１または実施例２と多少差はあるが、図８から分かるように、実施例１または実施例２と同じく、非点収差に対する像の値がＹ軸に隣接しているので、実施例３も収差補正の機能が優れることが分かる。
【００７３】
また、図９から分かるように、実施例１または実施例２と同じく、歪曲収差に対する像の値がＹ軸に隣接しているので、実施例３も収差補正の機能が優れることが分かる。
【００７４】
以上では、本発明の一実施例について説明したが、当該技術分野で通常の知識を有する者であれば特許請求範囲に記載した本発明の思想から逸脱しない範囲内で、構成要素の付加、変更、削除または追加などにより本発明を多様に修正及び変更することができ、これも本発明の権利範囲内に含まれるといえる。
【符号の説明】
【００７５】
Ｏ      被写体
Ｉ      撮像
１００  第１レンズ
２００  第２レンズ
３００  第１サーブレンズ
４００  第２サーブレンズ
５００  第３サーブレンズ
６００  第４レンズ
６１０  中心部
６２０  外郭部
【図１】
2014052626.tif 000009
【図２】
2014052626.tif 000010
【図３】
2014052626.tif 000011
【図４】
2014052626.tif 000012
【図５】
2014052626.tif 000013
【図６】
2014052626.tif 000014
【図７】
2014052626.tif 000015
【図８】
2014052626.tif 000016
【図９】
2014052626.tif 000017